(57)【要約】    【課題】樹脂シートにより成形された薄い蓋は、積み重ねた状態で出荷され、本体に蓋を被せる際に積み重ねた蓋が１枚ずつ取り出されるが、積み重ね状態の蓋が斜めに崩れやすいという問題があった。    【解決手段】蓋を本体に嵌めるために必要な係止部９の下面に第２水平部１０を設ける。また、係止部９の下端から下方に延びる第３垂直面１１を設ける。そうすると、蓋同士を積み重ねた時には、上下方向の力に対しては係止部９の第２水平部１０が力を受け止め、横方向の力に対しては第３垂直面１１が力を受け止める。    【効果】積み重ね時において、上下方向に対する力に対してだけでなく、横方向の力に対しても、その力がきちんと受け止められ、斜め積みや斜め方向に崩れるということのない蓋にできる。【選択図】            図２
2006008144.tif 000002
【特許請求の範囲】
【請求項１】
樹脂シートによって成形された包装用容器の蓋であって、
周縁から外方へ水平に張り出した水平フランジと、
上記水平フランジの外縁から下方に延びる第１垂直面と、
上記第１垂直面の下端からさらに外方へ水平に張り出した第１水平部と、
上記第１水平部の外縁から下方に延びる第２垂直面と、
上記第２垂直面の下端に連設され、内方へ膨らんだ係止部と、
上記係止部の下端から下方に延びる第３垂直面とを有し、
上記係止部には、その下面に第２水平部が備えられており、
上記第３垂直面は、第２垂直面に比べ、樹脂シートの厚み分だけ外方に位置していることを特徴とする、包装用容器の蓋。
【請求項２】
上記第２水平部および第３垂直面によって、縦断面形状が直角をした積層用当接段部が形成されていることを特徴とする、請求項１記載の包装用容器の蓋。
【請求項３】
上記第１水平部および第２垂直面によって、縦断面形状が直角をした、上記積層用当接段部が上から重なる積層用棚部が形成されていることを特徴とする、請求項２記載の包装用容器の蓋。
【発明の詳細な説明】
【技術分野】
【０００１】
この発明は、樹脂シートにより成形される包装用容器の蓋に関する。
【背景技術】
【０００２】
販売する食品を収容する包装用容器として、樹脂シートで成形されたものが広く用いられている。かかる包装用容器は、通常、容器本体と、容器本体の開口に被せる蓋を備えている。
このような蓋は、容器本体に被せられる前は、蓋同士が多数積み重ねられたスタック状態で、製造工場から出荷され、食品店舗等に納められる。
【０００３】
それゆえ、スタック状態の蓋は、積み重ね高さ（スタックハイ）をできるだけ低くして容積を小さくする必要がある。一方、スタック状態の多数の蓋から蓋を１つずつ取り出す場合には、蓋同士が互いに密着して取り外しにくいという事態が生じないようにする必要がある。
ところで、この種の蓋は、０．２ミリから０．３ミリ程度の熱可塑性樹脂シートが加熱成形されているため、剛性に乏しく、変形し易い性質がある。このため、多数の蓋を積層すると、その中のいくつかは蓋同士が嵌まり込み、１つずつ取り外すのが極めて困難になることがあった。
【０００４】
そこで、蓋の周縁部に、ランダムに止め突起を形成し、蓋同士を積み重ねた際に、下方の蓋の止め突起がその上に積み重ねられる蓋に当接することにより、積み重ねられる蓋と蓋との間に隙間を確保し、蓋を１つずつ取り出し易くするという構成が採用されている。  また、特開平９−２２６７９５号公報には、上記止め突起に加えて、垂直面および外側へ傾斜した傾斜面からなるスタック段部を形成し、下方の蓋のスタック段部に上方から積み重ねられる蓋の係止部が当接することにより、スタックハイを低くするとともに、蓋同士が取り外しにくい状態に密着するのを防止するという構成が開示されている。
【特許文献１】特開平９−２２６７９５号公報
【発明の開示】
【発明が解決しようとする課題】
【０００５】
背景技術において説明した蓋に止め突起を設けることや、垂直面および傾斜面からなるスタック段部を形成することは、蓋同士の嵌まり込みを防止し、スタックハイを安定させるという点においては有効であるが、多数積み重ねられた蓋に対して横方向の力が作用したとき、その力に十分に抗しきれないという問題がある。すなわち、多数積み重ねられた蓋に対し横方向の力が働くと、積み重ねられた蓋が斜めに傾き、崩れる等の不都合があった。
【０００６】
このように積み重ねられた蓋が容易に斜めに傾いたり、崩れたりする原因を探ると、スタック段部の傾斜面を蓋同士が滑り、斜めになりやすいからであることが判明した。
この発明は、かかる背景のもとになされたもので、蓋同士を積み重ねる際に、蓋が斜めに積み重ならず、垂直に積むことができる、作業性の良い包装用容器の蓋を提供することを主たる目的とする。
【０００７】
この発明の他の目的は、蓋を積み重ねた際に、スタックハイを低くでき、積み重ねられた蓋の容積を小さくして取り扱いがしやすい包装用容器の蓋を提供することを目的とする。
【課題を解決するための手段】
【０００８】
請求項１記載の発明は、樹脂シートによって成形された包装用容器の蓋であって、周縁から外方へ水平に張り出した水平フランジと、上記水平フランジの外縁から下方に延びる第１垂直面と、上記第１垂直面の下端からさらに外方へ水平に張り出した第１水平部と、上記第１水平部の外縁から下方に延びる第２垂直面と、上記第２垂直面の下端に連設され、内方へ膨らんだ係止部と、上記係止部の下端から下方に延びる第３垂直面とを有し、上記係止部には、その下面に第２水平部が備えられており、上記第３垂直面は、第２垂直面に比べ、樹脂シートの厚み分だけ外方に位置していることを特徴とする、包装用容器の蓋である。
【０００９】
請求項２記載の発明は、上記第２水平部および第３垂直面によって、縦断面形状が直角をした積層用当接段部が形成されていることを特徴とする、請求項１記載の包装用容器の蓋である。
請求項３記載の発明は、上記第１水平部および第２垂直面によって、縦断面形状が直角をした、上記積層用当接段部が上から重なる積層用棚部が形成されていることを特徴とする、請求項２記載の包装用容器の蓋である。
【発明の効果】
【００１０】
請求項１の発明によれば、係止部には、その下面に第２水平部が備えられており、かつ、係止部の下端から下方に延びる第３垂直面が設けられている。それゆえ蓋を積み重ねたとき、上下方向の力に対しては係止部の第２水平部が力を受け止め、横方向の力に対しては第３垂直面が力を受け止める。よって、積み重ね時において、上下方向に対する力に対してだけでなく、横方向の力に対しても、その力がきちんと受け止められ、斜め積みや斜め方向に崩れるということのない包装用容器の蓋とすることができる。
【００１１】
特に、請求項２の発明では、第２水平部および第３垂直面によって縦断面形状が直角をした積層用当接段部が形成されているから、上下方向および横方向の力に対して積層用当接段部がしっかりとそれを受け止める。また、請求項３の発明では、積層用当接段部が、その下にある蓋の第１水平部および第２垂直面により構成された縦断面形状が直角をした積層用棚部と係合するから、縦断面形状が直角同士の積層用棚部と積層用当接段部との係合により、積層される蓋同士が確実にかつ安定して積み重ねられ、十分に低いスタックハイを確保できるとともに、積み重ね時の斜め積み重なりや崩れが生じない。
【００１２】
よって、この発明によれば、蓋を積み重ねた際、スタックハイを低くでき、しかも垂直に蓋が積み重なり、作業性の良い包装用容器の蓋とすることができる。
【発明を実施するための最良の形態】
【００１３】
以下には、図面を参照して、この発明の実施形態について具体的に説明をする。
図１は、この発明の一実施形態に係る包装用容器の蓋（単体）の縦断面図であり、図２は、図１におけるＡ部分の拡大図である。この実施形態に係る包装用容器の蓋１は、厚みが０．２〜０．３ミリの透明な熱可塑性樹脂シートが加熱成形されることにより、作られている。蓋１の平面形状は、被せる容器本体の形状に合わせて、円形、楕円形、正方形、長方形等種々の形状をとり得る。また、蓋１の上面２および周辺の肩３の形状も、図示のもの以外に種々の形状をとり得る。
【００１４】
この実施形態の特徴は、図２に示すように、蓋の外周縁付近に特有の形態を有することである。
すなわち、図２を参照して、この実施形態に係る蓋１には、蓋の周縁を形成する肩３の下端に連設され、周縁から外方へ水平に張り出した水平フランジ４が備えられている。そして水平フランジ４の上面には、肩３寄りに止め突起５が設けられている。この水平フランジ４の上に突設される止め突起５は、従来の蓋にも備えられているものである（たとえば特開平９−２２６７９５号公報の蓋にも止め突起１６の説明がある。）。止め突起５は、蓋ごとに異なる位置に配置されている。それゆえ後述するように、蓋を積み重ねる際には、上下に隣接する蓋同士の水平フランジ４と止め突起５とが当接し、所定のスタックハイが確保される。
【００１５】
この実施形態では、水平フランジ４の外縁から円弧状に湾曲して下方に延びる第１垂直面６と、第１垂直面６の下端から外方へ水平に張り出した第１水平部７と、第１水平部７の外縁から下方に延びる第２垂直面８とが備えられている。
さらに、第２垂直面８の下端には、内方へ膨らんだ係止部９が連設されている。係止部９は、蓋１が本体に被せられたときに、本体の開口周縁の下面側に係合して、蓋１が本体から外れることがないように係止するためのものである。係止部９は、蓋１の外周に沿って延びている。つまり、蓋１を下面内側から見ると、係止部９は水平方向に延びる凸条を形作っている。なお、蓋の種類によっては、係止部９は、蓋の周方向に延びる連続体であることは必ずしも必要ではなく、途切れていてもよい。
【００１６】
この実施形態の特徴の１つは、係止部９が、縦断面形状において、その下面に水平部（第２水平部）１０を有することである。この第２水平部１０は、後述するように、蓋１が積層されたときに、上下方向の力を受け止める役割をする部分である。
この実施形態のさらなる特徴は、係止部９の下端から下方に延びる第３垂直面１１が備えられていることである。第３垂直面１１は、第２垂直面８に比べ、蓋１を構成する樹脂シートの厚み分（０．２〜０．３ｍｍ）だけ外方に位置している。
【００１７】
さらに、第３垂直面の下端には、蓋を本体に被せるときの案内面となる案内用傾斜面１２および案内用水平面１３が備えられている。
図３は、蓋１を積み重ねた状態の部分拡大縦断面図であり、蓋１を積み重ねた際における下方の蓋１ａと上方の蓋１ｂとの周縁部分の重なり具合が示されている。
図３に示されるように、２つの蓋１ａ，１ｂのスタックハイは、止め突起５の高さにより定まる。そして下方の蓋１ａの第１垂直面６に上方の蓋１ｂの係止部９の先端面（内側先端面）が当接すると同時に、下方の蓋１ａの第２垂直面８に上方の蓋１ｂの第３垂直面１１が当接する。これにより、蓋１ｂを積層した際の横ずれが防止される。
【００１８】
さらに、下方の蓋１ａの第１水平部７の上には、上方の蓋１ｂの係止部９の下面に形成された第２水平部１０が当接し、止め突起５により受け止められる上下方向の力を、第１水平部７と第２水平部１０との当接が補助し、上下方向の積み重なりをより安定にする働きをしている。
図４および図５は、それぞれ、この発明の蓋の他の実施形態（図１〜図３で説明した実施形態の変形例）を示す概要図である。
【００１９】
図４（Ａ）は図２に対応して描いた蓋の部分縦断面図であり、図４（Ｂ）は図３に対応して描いた積み重ねた状態の部分縦断面図である。
図４の実施形態の特徴は、図１〜図３の実施形態に比べると、案内用傾斜面１２が省略されていることである。図１〜図３の実施形態における案内用傾斜面１２および案内用水平面１３は、蓋を本体に嵌める際に、嵌め易くするためのガイドとしての役割を果たすための部分である。従って蓋を本体に嵌める際に、嵌めにくい等の問題がなければ、案内用の面は特に必要がない。そこで、図４の実施形態では、案内用傾斜面１２を省略している。これにより、多数の蓋をスタックした際、スタックの高さが最下方の蓋の案内用傾斜面１２がない分だけ低くできるというメリットがある。
【００２０】
図５は、図１〜図３の実施形態と比較すると、係止部９の形状が角張った形状になっている点で異なる。係止部９は、前述したように、蓋を本体に嵌めた際に、本体の開口縁下方の外周面に嵌まる部分であり、内方へ膨らんだものであれば、その形状は特に制限を受けない。そこで、図５の実施形態では、係止部９を断面形状が角張った形状としている。なお、この発明の係止部は、どのような形状でもよいが、要はその下面に第２水平部１０が備えられたものであればよい。
【００２１】
この発明は、以上説明した実施形態に限定されるものではなく、特許請求の範囲に記載の範囲内において種々の変更が可能である。
【図面の簡単な説明】
【００２２】
【図１】この発明の一実施形態に係る蓋の構成を説明するための縦断面図である。
【図２】図１のＡ部分の拡大図である（蓋の縦断面部分拡大図）。
【図３】蓋を積み重ねた状態の縦断面部分拡大図である。
【図４】この発明の他の実施形態に係る蓋の部分縦断面図である。
【図５】この発明のさらに他の実施形態に係る蓋の部分縦断面図である。
【符号の説明】
【００２３】
１    蓋
４    水平フランジ
５    止め突起
６    第１垂直面
７    第１水平部
８    第２垂直面
９    係止部
１０    第２水平部
１１    第３垂直面
【図１】
2006008144.tif 000003
【図２】
2006008144.tif 000004
【図３】
2006008144.tif 000005
【図４】
2006008144.tif 000006
【図５】
2006008144.tif 000007